(57)【要約】【課題】イオン発生部の放電電極に異物が付着することを抑制することが可能なイオン発生素子とイオン発生素子の配置を変更することが可能なイオン送出装置とを提供する。【解決手段】イオン送出装置１のイオン発生素子３０は、送風ダクト２０の空気流通方向に沿って複数配置されたホルダー５１のいずれかに、或いはイオン発生素子３０を送風ダクト２０の空気流通方向に沿って連続的に移動させる移動機構６０に保持される。また、イオン発生素子３０は、空気中の異物を引き寄せて収集する集塵部３３と、空気中にイオンを発生させるイオン発生部３２と、を備え、集塵部３３がイオン発生部３２に対して空気流通方向の上流側に配置される。【選択図】図３
2016085790.tif 000002
【特許請求の範囲】
【請求項１】
吸込口及び吹出口を開口する本体筐体と、
前記吸込口と前記吹出口とを連通させる送風ダクトと、
前記送風ダクトに空気を流通させる送風部と、
前記送風ダクトを流通する空気にイオンを放出するイオン発生素子と、
を備え、
前記イオン発生素子の配置を前記送風ダクトの空気流通方向に沿って可変にしたことを特徴とするイオン送出装置。
【請求項２】
前記送風ダクトが、その内部に空気流通方向に沿って複数配置されて前記イオン発生素子を保持するホルダーと、前記ホルダーに対して前記イオン発生素子の挿入及び抜き取りが可能な開口部と、前記開口部の開放及び閉鎖が可能な蓋部と、を備えることを特徴とする請求項１に記載のイオン送出装置。
【請求項３】
前記イオン発生素子を前記送風ダクトの空気流通方向に沿って連続的に移動させる移動機構を備えることを特徴とする請求項１に記載のイオン送出装置。
【請求項４】
前記イオン発生素子は、空気中の異物を引き寄せて収集する集塵部と、空気中にイオンを発生させるイオン発生部と、を備えるとともに、前記集塵部を前記イオン発生部に対して空気流通方向の上流側に配置したことを特徴とする請求項１〜請求項３のいずれかに記載のイオン送出装置。
【請求項５】
前記集塵部に印加される電圧が前記イオン発生部に印加される電圧よりも低いことを特徴とする請求項４に記載のイオン送出装置。
【発明の詳細な説明】
【技術分野】
【０００１】
本発明はイオンを発生させるイオン発生素子、及びイオンを例えば室内などに送出するイオン送出装置に関する。
【背景技術】
【０００２】
従来のイオン送出装置が特許文献１に開示されている。このイオン送出装置はシロッコファンと、シロッコファンを内蔵するケーシングと、ケーシングに取り付けられるイオン発生素子と、を備える。シロッコファンはファンロータの回転軸に連結されたモータによりファンロータが回転駆動され、ケーシングの内部に気流を発生させる。イオン発生素子で発生したイオンはケーシングの内部の気流に乗ってケーシングの外部、例えば室内に送出される。
【先行技術文献】
【特許文献】
【０００３】
【特許文献１】特開２０１４−２０６１１号公報
【発明の概要】
【発明が解決しようとする課題】
【０００４】
しかしながら、上記従来のイオン発生素子はイオンを発生させるときに放電電極が周囲の塵埃等の異物を引き寄せてしまうことが懸念された。これにより、放電電極に異物が付着し、放電電極によるイオンの放出が阻害される可能性があるといった課題があった。
【０００５】
また、上記従来のイオン送出装置はイオン発生素子を予め設定した１箇所に配置するように設計されている。例えば、イオン発生素子を空気の吹出口に近接させて配置すると、吹出口からのイオンの送出量は比較的多くなるが、放電時の騒音が顕著になる虞がある。一方、例えばイオン発生素子を空気の吹出口から離隔させた内部に配置すると、放電時の騒音は聞こえ難くなるが、吹出口からのイオンの送出量は比較的少なくなる虞がある。また、イオン発生素子の配置場所によって放電電極への異物の付着状態が変わる可能性もあった。このようにして、イオンの送出量や放電時の騒音、放電電極への異物の付着などを考慮してイオン発生素子の配置を変更することができないという課題があった。
【０００６】
本発明は上記の点に鑑みなされたものであり、イオン発生部の放電電極に異物が付着することを抑制することが可能なイオン発生素子を提供することを目的とする。さらに、イオン発生素子の配置を変更することが可能なイオン送出装置を提供することを目的とする。
【課題を解決するための手段】
【０００７】
上記の課題を解決するため、本発明のイオン送出装置は、吸込口及び吹出口を開口する本体筐体と、前記吸込口と前記吹出口とを連通させる送風ダクトと、前記送風ダクトに空気を流通させる送風部と、前記送風ダクトを流通する空気にイオンを放出するイオン発生素子と、を備え、前記イオン発生素子の配置を前記送風ダクトの空気流通方向に沿って可変にしたことを特徴としている。
【０００８】
また、上記構成のイオン送出装置において、前記送風ダクトが、その内部に空気流通方向に沿って複数配置されて前記イオン発生素子を保持するホルダーと、前記ホルダーに対して前記イオン発生素子の挿入及び抜き取りが可能な開口部と、前記開口部の開放及び閉鎖が可能な蓋部と、を備えることを特徴としている。
【０００９】
また、上記構成のイオン送出装置において、前記イオン発生素子を前記送風ダクトの空気流通方向に沿って連続的に移動させる移動機構を備えることを特徴としている。
【００１０】
また、上記構成のイオン送出装置において、前記イオン発生素子は、空気中の異物を引き寄せて収集する集塵部と、空気中にイオンを発生させるイオン発生部と、を備えるとともに、前記集塵部を前記イオン発生部に対して空気流通方向の上流側に配置したことを特徴としている。
【００１１】
また、上記構成のイオン送出装置において、前記集塵部に印加される電圧が前記イオン発生部に印加される電圧よりも低いことを特徴としている。例えば、イオン発生部によるイオンの発生には１〜２ｋＶ程度の電圧が必要であるが、集塵部で異物を引き寄せるには空気中に電界が発生する程度の電圧であって、放電しない程度の電圧であれば良いし、放電する電圧であっても良い。
【００１２】
また、上記構成のイオン送出装置において、前記集塵部がバー状をなす集塵電極を備えることを特徴としている。
【００１３】
また、上記構成のイオン送出装置において、前記集塵部が空気流通方向に沿って並べて配置される複数の集塵電極を備えることを特徴としている。
【００１４】
また、上記構成のイオン送出装置において、複数の前記集塵電極は各々個別に通電、非通電の切り替えが可能であることを特徴としている。
【００１５】
また、上記構成のイオン送出装置において、前記集塵部が網状部を有することを特徴としている。
【００１６】
また、上記構成のイオン送出装置において、前記集塵部が、可撓性を有する集塵電極と、互いに空気流通方向に対して交差する方向に離隔して回転可能に配置された前記集塵電極が巻かれた２個の回転部材と、前記回転部材を回転させて２個の前記回転部材の間で前記集塵電極を移動させる駆動部と、を備えることを特徴としている。
【００１７】
また、上記構成のイオン送出装置において、前記蓋部が、前記イオン発生素子の前記送風ダクトへの挿入に連動して開放され、前記イオン発生素子の前記送風ダクトからの抜き取りに連動して閉鎖されるシャッターからなることを特徴としている。
【００１８】
また、上記構成のイオン送出装置において、前記送風ダクトが前記イオン発生素子の配置とともに前記イオン発生素子が電気的に接続されるコネクタ部を備えることを特徴としている。
【００１９】
また、上記構成のイオン送出装置において、前記イオン発生素子の前記イオン発生部を清掃するための清掃部材を備えることを特徴としている。
【００２０】
また、上記構成のイオン送出装置において、前記吹出口における空気の送出方向を変更するための可動ルーバーと、前記可動ルーバーを回動させるためのルーバーモータと、前記ルーバーモータの動作に連動して前記清掃部材によって前記イオン発生部を清掃するための連動部と、を備えることを特徴としている。
【発明の効果】
【００２１】
本発明の構成によれば、イオン発生部の放電電極に異物が付着することを抑制することが可能なイオン発生素子を提供することができる。さらに、イオン発生素子の配置を変更することが可能なイオン送出装置を提供することができる。
【図面の簡単な説明】
【００２２】
【図１】本発明の第１実施形態のイオン送出装置の斜視図である。
【図２】本発明の第１実施形態のイオン送出装置の側面図である。
【図３】本発明の第１実施形態のイオン送出装置のイオン発生素子の斜視図である。
【図４】本発明の第１実施形態のイオン発生装置のイオン発生素子の回路図である。
【図５】本発明の第２実施形態のイオン発生素子の斜視図である。
【図６】本発明の第３実施形態のイオン発生素子の斜視図である。
【図７】本発明の第４実施形態のイオン発生素子の斜視図である。
【図８】本発明の第５実施形態のイオン発生素子の斜視図である。
【図９】本発明の第６実施形態のイオン発生素子の斜視図である。
【図１０】本発明の第７実施形態のイオン発生素子の斜視図である。
【図１１】本発明の第８実施形態のイオン発生素子の斜視図である。
【図１２】本発明の第９実施形態のイオン発生素子の部分拡大斜視図である。
【図１３】本発明の第１０実施形態のイオン送出装置の側面図である。
【図１４】本発明の第１０実施形態のイオン送出装置のイオン発生素子の取り付けに係る構造を示す部分拡大側面図である。
【図１５】本発明の第１０実施形態のイオン送出装置のイオン発生素子の取り付けに係る構造を示す部分拡大側面図である。
【図１６】本発明の第１１実施形態のイオン送出装置のイオン発生素子の取り付けに係る構造を示す部分拡大側面図である。
【図１７】本発明の第１１実施形態のイオン送出装置のイオン発生素子の取り付けに係る構造を示す部分拡大側面図である。
【図１８】本発明の第１２実施形態のイオン送出装置のイオン発生素子の取り付けに係る構造を示す部分拡大側面図である。
【図１９】本発明の第１２実施形態のイオン送出装置のイオン発生素子の取り付けに係る構造を示す部分拡大側面図である。
【図２０】本発明の第１２実施形態のイオン送出装置のイオン発生素子の取り付けに係る構造を示す部分拡大側面図である。
【図２１】本発明の第１３実施形態のイオン送出装置のイオン発生素子の取り付けに係る構造を示す部分拡大側面図である。
【図２２】本発明の第１３実施形態のイオン送出装置のイオン発生素子の取り付けに係る構造を示す部分拡大側面図である。
【図２３】本発明の第１３実施形態のイオン送出装置のイオン発生素子の取り付けに係る構造を示す部分拡大側面図である。
【図２４】本発明の第１４実施形態のイオン送出装置の側面図である。
【図２５】本発明の第１５実施形態のイオン送出装置の側面図である。
【図２６】本発明の第１６実施形態のイオン送出装置の部分拡大側面図である。
【図２７】本発明の第１７実施形態のイオン送出装置の清掃部を示す部分拡大側面図である。
【発明を実施するための形態】
【００２３】
以下、本発明の実施形態を図１〜図２７に基づき説明する。
【００２４】
＜第１実施形態＞
最初に、本発明の第１実施形態に係るイオン発生素子を搭載したイオン送出装置について、図１及び図２を用いてその構造の概略を説明する。図１はイオン送出装置の前方から見た外観斜視図であり、図２はイオン送出装置の外装カバー及び側板を外した状態を示す側面図である。図１及び図２の白抜き矢印はイオン送出装置による空気の流通経路及び流通方向を示す。図２はイオン送出装置の外装カバーと、外装カバーより内側に設けられる送風ダクトの側板とを取り外して送風ダクトの内部が見える状態にした図である。図２において左方がイオン送出装置の前方（前面側）であり、右方がイオン送出装置の後方（背面側）である。図２の紙面に対して奥行き方向がイオン送出装置の左右横方向を示す。
【００２５】
イオン送出装置１は、図１及び図２に示すように本体筐体１Ｃとして、略柱状をなす回転部２とその下方に配置した設置部３とを備える。
【００２６】
設置部３は平面視円形に形成されて床面等の設置面の上に設置される。設置部３は電源コード８と、その先端に設けた不図示の電源プラグとを備える。イオン送出装置１は電源コード８及び電源プラグを介して商用交流電源から電力の供給を受け、動作する。
【００２７】
回転部２は設置部３の上に上下方向に縦長に延びるように立てた状態にして配置される。回転部２は底面が円形に形成され、上下方向略中央部から上端にかけての部分が略直方体形状で形成される。
【００２８】
回転部２はその前面に受信部１０を備え、背面に把持部１１を備える。受信部１０は不図示のリモコンが送信した信号を受信する。把持部１１は回転部２の背面から内側に向かって窪んだ凹部として形成される。使用者は把持部１１に手をかけてイオン送出装置１を把持し、持ち運ぶ。
【００２９】
回転部２は設置部３に対して、その底面の径方向中心で上下方向に延びる回転軸線２ａを中心に水平面内で回転可能に設けられる。回転部２はその下部に首振モータ４１を備える。首振モータ４１を駆動すると、回転部２は設置部３に対して回転軸線２ａを中心に水平面内で回転変位し、所定角度の範囲で往復変位する首振動作を実行する。これにより、回転部２は後述する吹出口５からの空気の吹出方向を水平面内で回転変位させる。
【００３０】
回転部２は下部側面に開口する吸込口４と、上部正面に開口する吹出口５と、送風ダクト２０とを備える。送風ダクト２０は回転部２の内部に配置されて上下方向に延び、吸込口４と吹出口５とを連通させる。吸込口４には塵埃を捕集する不図示の集塵フィルタと、複数の通気孔を開口した通気板９とが配置される。吹出口５は左右横方向の長さに対して縦方向の長さが長く、すなわち鉛直方向に沿って縦長の形状をなす。
【００３１】
送風ダクト２０の空気流通方向下流部は上方に向かって延びるとともに前方に向かって湾曲する。送風ダクト２０の空気流通方向下流部は５枚の仕切り板２１により６本の通風路２２に区分される。
【００３２】
通風路２２の入口部２３は後述するイオン発生素子３０の配置箇所のすぐ下流に位置し、出口部２４は吹出口５のすぐ上流に位置する。６本の通風路２２は入口部２３においてイオン送出装置１の前後方向に一列に並び、出口部２４において上下方向に一列に並ぶ。
【００３３】
通風路２２の出口部２４と吹出口５との間には６枚の可動ルーバー２５が設けられる。可動ルーバー２５は各々上流端が５枚の仕切り板２１と出口部２４の最下方の壁板２６とに連続して取り付けられる。可動ルーバー２５は下流部がルーバーモータ４２に連結される。ルーバーモータ４２を駆動すると、６枚の可動ルーバー２５の下流部が揃って上下方向に変位する。
【００３４】
送風ダクト２０の下部にはファンモータ４０により回転駆動するシロッコファンを有する送風部７が配置される。送風部７の不図示の吸気口は吸込口４に隣接し、送風部７の排気口７ａは上方を指向する。送風部７は吸込口４から吸い込んだ空気を送風ダクト２０を通して吹出口５に向かって流通させる。
【００３５】
送風部７の上方であって空気流通方向の下流側にはイオン発生素子３０が配置される。イオン発生素子３０により発生するイオンは送風ダクト２０を流通する気流に含ませられる。また、回転部２の内部には不図示の制御部が設けられる。
【００３６】
続いて、イオン発生素子３０の詳細な構成について、図２に加えて図３及び図４を用いて説明する。図３はイオン発生素子３０の斜視図であり、図４はイオン発生素子３０の回路図である。図３の白抜き矢印は空気の流通方向を示す。
【００３７】
イオン発生素子３０は例えば図３に示すようにパッケージ化され、送風部７に対して空気流通方向の下流側に配置される（図２参照）。イオン発生素子３０は例えば図４に示した回路で構成され、昇圧部３１、イオン発生部３２及び集塵部３３を備える。
【００３８】
昇圧部３１は外部電源から得られる電圧を適切な出力に調整して放電を制御するためのパルス信号を生成し、さらにその信号に対して高電圧を発生させる回路で構成される。昇圧部３１は主な構成要素として例えばダイオード、コンデンサ、高圧トランス３１ａ等を備える。昇圧部３１は例えば２〜１０ｋＶの正負の高電圧を発生させる。
【００３９】
昇圧部３１の高圧トランス３１ａの２次側回路は２つに分かれており、各々がイオン発生部３２、集塵部３３として構成される。イオン発生部３２の回路と集塵部３３の回路とは互いに電気的に非接続である。
【００４０】
イオン発生部３２は放電電極３２ａ及び対向電極３２ｂを備える。イオン発生部３２は放電電極３２ａに昇圧部３１で生成された高電圧が供給されて対向電極３２ｂとの間で放電を発生させ、イオンを放出する。
【００４１】
集塵部３３は集塵電極３３ａを備える。集塵部３３は送風ダクト２０を流通する空気中の塵埃などの異物を集塵電極３３ａに引き寄せて収集する。なお、集塵部３３に印加される電圧はイオン発生部３２に印加される電圧よりも低い。例えば、イオン発生部３２によるイオンの発生には１〜２ｋＶ程度の電圧が必要であるが、集塵部３３で異物を引き寄せるには空気中に電界が発生する程度の電圧であって、放電しない程度の電圧であれば良いし、放電する電圧であっても良い。
【００４２】
放電電極３２ａ及び集塵電極３３ａは図３に示すようにイオン発生素子３０の表面から外側に向かって突出し、送風ダクト２０に臨んで設けられる。放電電極３２ａ及び集塵電極３３ａは各々針状に形成され、各々２個が空気流通方向と交差するように所定の間隔で並べて配置される。そして、集塵部３３がイオン発生部３２に対して空気流通方向の上流側に配置される。
【００４３】
イオン発生部３２の放電電極３２ａには交流波形からなる電圧が印加される。正極の放電電極３２ａには正電圧が印加され、コロナ放電による水素イオンが空気中の水分と結合して主としてＨ+（Ｈ2Ｏ）ｍからなる正イオンを発生する。負極の放電電極３２ａには負電圧が印加され、コロナ放電による酸素イオンが空気中の水分と結合して主としてＯ2-（Ｈ2Ｏ）ｎからなる負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００４４】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、正イオン及び負イオンを発生してイオン送出装置１の外部に放出することにより、イオン送出装置１の外部の除菌及び脱臭を行うことができる。
【００４５】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４６】
なお、イオン発生素子３０によって正イオン及び負イオンを発生させても良いし、正イオンのみまたは負イオンのみを発生させても良い。
【００４７】
また、本発明において、イオンには帯電した微細水粒子も含むものとする。このとき、イオン発生素子３０は静電霧化装置からなり、静電霧化装置によってラジカル成分を含む帯電した微細水粒子が生成される。すなわち、静電霧化装置に設けた放電電極をペルチェ素子により冷却することで放電電極の表面に結露水が生じる。次に、放電電極に負の高電圧を印加すると、結露水から帯電した微細水粒子が生成される。また、放電電極からは帯電した微細水粒子とともに空気中に放出される負イオンも発生する。
【００４８】
イオン発生素子３０は正イオンまたは負イオンのいずれかと、正イオンまたは負イオンの逆極性に帯電した微細水粒子とを発生する静電霧化装置からなるものであっても良い。負イオン若しくは負に帯電した微細水粒子が発生すると、空間の殺菌や脱臭に加えて、リラックス効果も生まれるとされる。
【００４９】
＜第２実施形態＞
次に、本発明の第２実施形態のイオン発生素子について、図５を用いて説明する。図５はイオン発生素子の斜視図である。図５の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００５０】
第２実施形態のイオン発生素子３０は、図５に示す集塵部３３を備える。集塵部３３はバー状に延びる集塵電極３３ｂを備える。集塵電極３３ｂは空気流通方向に対して交差する方向に延びる。これにより、集塵部３３の集塵を行う部分の長さが比較的長くなる。
【００５１】
＜第３実施形態＞
次に、本発明の第３実施形態のイオン発生素子について、図６を用いて説明する。図６はイオン発生素子の斜視図である。図６の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００５２】
第３実施形態のイオン発生素子３０は、図６に示す集塵部３３を備える。集塵部３３はバー状に延びる集塵電極３３ｂを複数備える。複数の集塵電極３３ｂは各々空気流通方向に対して交差する方向に延びるともに、空気流通方向に沿って並べて配置される。
【００５３】
複数の集塵電極３３ｂは各々個別に通電、非通電の切り替えが可能である。例えば、集塵電極３３ｂの短絡を検知できる機能を利用して、１個ずつ短絡する度に通電させる集塵電極３３ｂを切り替え、複数の集塵電極３３ｂ各々を段階的に１個ずつ使用することにしても良い。これにより、多くの塵埃等の異物が効率的に収集される。
【００５４】
＜第４実施形態＞
次に、本発明の第４実施形態のイオン発生素子について、図７を用いて説明する。図７はイオン発生素子の斜視図である。図７の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００５５】
第４実施形態のイオン発生素子３０は、図７に示す集塵部３３を備える。集塵部３３はバー状に延びる１個の集塵電極３３ｂと、網状部３３ｃとを備える。網状部３３ｃは空気流通方向に対して交差する方向に延びる集塵電極３３ｂとイオン発生素子３０の表面との間に張るようにして配置され、張られた面が流通する空気に対向する。このような構成の集塵電極３３ｂ及び網状部３３ｃを複数配置するようにしても良い。これにより、多くの塵埃等の異物が収集される。
【００５６】
＜第５実施形態＞
次に、本発明の第５実施形態のイオン発生素子について、図８を用いて説明する。図８はイオン発生素子の斜視図である。図８の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００５７】
第５実施形態のイオン発生素子３０は、図８に示す集塵部３３を備える。集塵部３３はバー状に延びる２個の集塵電極３３ｂと、網状部３３ｄとを備える。網状部３３ｄは空気流通方向に対して交差する方向に延びる２個の集塵電極３３ｂの間に張るようにして配置され、張られた面が空気流通方向に沿って延びる。これにより、多くの塵埃等の異物が収集される。
【００５８】
＜第６実施形態＞
次に、本発明の第６実施形態のイオン発生素子について、図９を用いて説明する。図９はイオン発生素子の斜視図である。図９の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００５９】
第６実施形態のイオン発生素子３０は、図９に示す集塵部３３を備える。集塵部３３は集塵電極３３ｅと、回転部材である供給スプール３３ｆ及び回収スプール３３ｇと、駆動部であるモータ３３ｈと、を備える。
【００６０】
集塵電極３３ｅは可撓性を有する網目の帯状をなして供給スプール３３ｆと回収スプール３３ｇとの間に張るようにして配置され、張られた面が流通する空気に対向する。なお、集塵電極３３ｅは可撓性を有する部材であれば良く、例えばワイヤー状などの部材であっても良い。供給スプール３３ｆ及び回収スプール３３ｇは軸線がイオン発生素子３０の表面に対して略直角をなすように回転可能に設けられ、互いに空気流通方向に対して交差する方向に離隔して配置される。
【００６１】
供給スプール３３ｆには使用前の集塵電極３３ｅの一部が予め巻き付けられる。回収スプール３３ｇは空気流通空間で集塵に使用された集塵電極３３ｅの一部を巻き取って回収する。モータ３３ｈはその軸部が回収スプール３３ｇに連結されて、回収スプール３３ｇを回転させる。なお、モータ３３ｈに代えて、回収スプール３３ｇを手動で回転させるハンドル等を設けて２個の回転部材の駆動部としても良い。
【００６２】
モータ３３ｈを駆動させると回収スプール３３ｇが回転され、それに伴って集塵電極３３ｅが引っ張られて供給スプール３３ｆも回転される。これにより、供給スプール３３ｆが自身に巻き付けられた集塵電極３３ｅの一部を空気流通空間に繰り出して供給し、回収スプール３３ｇが空気流通空間で集塵に使用された集塵電極３３ｅの一部を巻き取って回収する。
【００６３】
空気流通空間に対する集塵電極３３ｅのこのような供給及び回収は、例えば供給スプール３３ｆと回収スプール３３ｇとの間隔の長さ毎に予め設定された所定のタイミングで実行される。これにより、継続的に好適な収集能力を発揮する真新しい集塵電極３３ｅの一部が供給スプール３３ｆから空気流通空間に供給される。
【００６４】
＜第７実施形態＞
次に、本発明の第７実施形態のイオン発生素子について、図１０を用いて説明する。図１０はイオン発生素子の斜視図である。図１０の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００６５】
第７実施形態のイオン発生素子３０は、図１０に示す集塵部３３を備える。集塵部３３は集塵電極３３ｊと、回転部材である２個のプーリ３３ｋと、清掃ブラシ３３ｍと、駆動部であるモータ３３ｈと、を備える。
【００６６】
集塵電極３３ｊは可撓性を有する網目の無端状ベルトの形態をなして２個のプーリ３３ｋに巻き掛けられて張るようにして配置され、張られた面が流通する空気に対向する。なお、集塵電極３３ｊは可撓性を有する部材であれば良く、例えば環状にしたワイヤーなどの部材であっても良い。２個のプーリ３３ｋは軸線がイオン発生素子３０の表面に対して略直角をなすように回転可能に設けられ、互いに空気流通方向に対して交差する方向に離隔して配置される。
【００６７】
一方のプーリ３３ｋの箇所には清掃ブラシ３３ｍが集塵電極３３ｊに当接するように配置される。なお、清掃ブラシ３３ｍは２個のプーリ３３ｋ各々の箇所に２個設けても良い。モータ３３ｈはその軸部が一方のプーリ３３ｋに連結されて、そのプーリ３３ｋを回転させる。なお、モータ３３ｈに代えて、プーリ３３ｋを手動で回転させるハンドル等を設けて２個の回転部材の駆動部としても良い。
【００６８】
モータ３３ｈを駆動させるとプーリ３３ｋが回転され、それに伴って無端ベルト状の集塵電極３３ｊも回転される。このとき、清掃ブラシ３３ｍの箇所を通過する集塵電極３３ｊの一部は清掃ブラシ３３ｍによって清掃され、収集した塵埃等の異物が除去される。これにより、継続的に好適な収集能力を発揮する集塵電極３３ｊの一部が空気流通空間に送り出される。
【００６９】
＜第８実施形態＞
次に、本発明の第８実施形態のイオン発生素子について、図１１を用いて説明する。図１１はイオン発生素子の斜視図である。図１１の白抜き矢印は空気の流通方向を示す。なお、この実施形態の基本的な構成は先に説明した第１実施形態と同じであるので、第１実施形態と共通する構成要素には前と同じ符号を付してその説明を省略するものとする。
【００７０】
第８実施形態のイオン発生素子３０は、図１１に示すイオン発生部３２、集塵部３３及び遮蔽リブ３４を備える。イオン発生部３２、集塵部３３は各々針状をなす放電電極３２ａ、集塵電極３３ａを備える。
【００７１】
遮蔽リブ３４は各々１個ずつの放電電極３２ａ及び集塵電極３３ａの組に対応して対をなして平行に延びる２枚が設けられる。各遮蔽リブ３４はイオン発生素子３０の表面に対して略直角をなしてその表面から突出する。遮蔽リブ３４は集塵電極３３ａの空気流通方向上流側から放電電極３２ａの空気流通方向下流側まで、空気流通方向と平行をなすように延びる。
【００７２】
これにより、遮蔽リブ３４は集塵電極３３ａで異物が収集されていない空気の放電電極３２ａ側への流入を阻止する。したがって、放電電極３２ａには集塵電極３３ａで異物を除去したきれいな空気が到達する。
【００７３】
＜第９実施形態＞
次に、本発明の第９実施形態のイオン発生素子について、図１２を用いて説明する。図１２はイオン発生素子の部分拡大斜視図である。なお、この実施形態の基本的な構成は先に説明した第１実施形態と同じであるので、第１実施形態と共通する構成要素には前と同じ符号を付してその説明を省略するものとする。
【００７４】
第９実施形態のイオン発生素子３０は、図１２に示す集塵部３３を備える。集塵部３３は針状をなす集塵電極３３ｎと、溝部３３ｐを備える。溝部３３ｐは集塵電極３３ｎの根元に形成され、環状をなす凹部として構成される。これにより、集塵電極３３ｎと短絡する部分との沿面距離を延ばすことができるため、異物が溝部３３ｐに溜まって短絡するまでの期間を延ばすことができる。
【００７５】
＜第１０実施形態＞
次に、本発明の第１０実施形態のイオン送出装置について、図１３〜図１５を用いて説明する。図１３はイオン送出装置の外装カバー及び側板を外した状態を示す側面図である。図１４及び図１５はイオン送出装置のイオン発生素子の取り付けに係る構造を示す部分拡大側面図である。図中の矢印Ａが送風ダクトに対するイオン発生素子の挿入及び抜き取りの方向を示す。なお、この実施形態の基本的な構成は先に説明した第１実施形態と同じであるので、第１実施形態と共通する構成要素には前と同じ符号を付してその説明を省略するものとする。
【００７６】
第１０実施形態のイオン送出装置１は、図１３に示す送風ダクト２０を備える。送風ダクト２０はホルダー５１、ガイド部材５２、開口部５３及び蓋部５４を備える。
【００７７】
ホルダー５１は送風ダクト２０の内部の送風部７に対して空気流通方向下流側に、空気流通方向に沿って３箇所配置される。上方に向かうに従って前方に向かって湾曲する送風ダクト２０に対して、３箇所のホルダー５１は各々対応する箇所における２個の放電電極３２ａ及び２個の集塵電極３３ａの互いの配置方向が空気流通方向と略交差する方向となる向きでイオン発生素子３０を保持する。
【００７８】
ガイド部材５２はホルダー５１に対応して壁板２７の外側に設けられる。ガイド部材５２はホルダー５１に沿って平行をなすように配置される。ガイド部材５２はイオン発生素子３０をホルダー５１に挿入する際の案内となる。
【００７９】
開口部５３は送風ダクト２０の背面側及び上面側の壁板２７に、空気流通方向に沿って３箇所配置される。開口部５３は３箇所のホルダー５１各々に対応する箇所に配置される。イオン発生素子３０は開口部５３を通してホルダー５１に対する挿入及び抜き取りが可能になる。
【００８０】
蓋部５４は３箇所の開口部５３各々に対応して設けられる。蓋部５４は開口部５３の開放及び閉鎖を可能にする。なお、図１３に示すように３箇所のホルダー５１のうち、例えば最下方と最上方のホルダー５１はイオン発生素子３０を挿入したときにイオン発生素子３０の壁板２７側の端部が開口部５３を閉鎖する構成になっている。したがって、最下方または最上方のホルダー５１にイオン発生素子３０を挿入した場合、イオン発生素子３０を挿入した箇所の開口部５３には蓋部５４を必要としない。
【００８１】
なお、いずれのホルダー５１においてもイオン発生素子３０を挿入したときにイオン発生素子３０の全体が送風ダクト２０の内部に収まる構成にして、蓋部５４を用いて開口部５３を閉鎖するようにしても良い。一方、いずれのホルダー５１においてもイオン発生素子３０を挿入したときにイオン発生素子３０の壁板２７側の端部が開口部５３を閉鎖する構成にしても良い。
【００８２】
イオン発生素子３０をホルダー５１に挿入する際、使用者は図１４に示すようにケーブル５５をイオン発生素子３０の不図示の端子部に接続する。ケーブル５５はイオン送出装置１の電源部や制御基板等と電気的に接続され、イオン発生素子３０に対して電力の供給や制御信号の授受を行う。ケーブル５５がイオン発生素子３０に接続された後、図１５に示すようにイオン発生素子３０がホルダー５１に挿入される。
【００８３】
＜第１１実施形態＞
次に、本発明の第１１実施形態のイオン送出装置について、図１６及び図１７を用いて説明する。図１６及び図１７はイオン送出装置のイオン発生素子の取り付けに係る構造を示す部分拡大側面図である。図中の矢印Ａが送風ダクトに対するイオン発生素子の挿入及び抜き取りの方向を示す。なお、この実施形態の基本的な構成は先に説明した第１及び第１０実施形態と同じであるので、それら実施形態と共通する構成要素には前と同じ符号を付してその説明を省略するものとする。
【００８４】
第１１実施形態のイオン送出装置１は、図１６に示す送風ダクト２０及びイオン発生素子３０を備える。送風ダクト２０はホルダー５１にコネクタ部５６を備える。イオン発生素子３０は端子部３５を備える。
【００８５】
コネクタ部５６及び端子部３５はともに、ホルダー５１に対するイオン発生素子３０の挿入方向の奥側に配置される。コネクタ部５６はイオン送出装置１の電源部や制御基板等と電気的に接続され、電力や制御信号の授受が行われる。イオン発生素子３０をホルダー５１に挿入すると自動的に、図１７に示すようにイオン発生素子３０の端子部３５がホルダー５１のコネクタ部５６に連結される。これにより、イオン発生素子３０はイオン送出装置１の本体筐体から電力の供給を受け、制御信号を受信する。
【００８６】
＜第１２実施形態＞
次に、本発明の第１２実施形態のイオン送出装置について、図１８〜図２０を用いて説明する。図１８〜図２０はイオン送出装置のイオン発生素子の取り付けに係る構造を示す部分拡大側面図であって、送風ダクトに対するイオン発生素子の挿入前、挿入途中及び挿入後を示す。図中の矢印Ａが送風ダクトに対するイオン発生素子の挿入方向を示し、矢印Ｂが後述するシャッターの移動方向を示す。なお、この実施形態の基本的な構成は先に説明した第１及び第１０実施形態と同じであるので、それら実施形態と共通する構成要素には前と同じ符号を付してその説明を省略するものとする。
【００８７】
第１２実施形態のイオン送出装置１は、図１８に示す送風ダクト２０を備える。送風ダクト２０はホルダー５１、開口部５３及びシャッター５７を備える。
【００８８】
シャッター５７は開口部５３の開放及び閉鎖を可能にする蓋部であって、開口部５３に対応して設けられる。シャッター５７は送風ダクト２０に対するイオン発生素子３０の挿入及び抜き取りの方向（矢印Ａ）と交差する方向から見た断面が三角形状をなす。そして、シャッター５７はイオン発生素子３０の挿入及び抜き取りの方向（矢印Ａ）に対して傾斜する斜面部５７ａが、送風ダクト２０に対して挿入されるイオン発生素子３０と対向するよう配置される。斜面部５７ａは上方に向かうに連れて送風ダクト２０から離隔する方向に傾斜する。
【００８９】
シャッター５７は上下方向に延びる不図示のガイドレールにその移動が規制される形で配置される。シャッター５７は図１８に実線で示した開口部５３を閉鎖する位置とその上方の図１８に二点鎖線で示した開口部５３を開放する位置との間をガイドレールに沿って上下方向（図１９の矢印Ｂ）に移動する。そして、シャッター５７はバネなどの不図示の付勢部材により開口部５３を閉鎖する方向に付勢されている。
【００９０】
イオン発生素子３０をホルダー５１に挿入する際、使用者はイオン発生素子３０をガイド部材５２に沿わせて配置する。続けて、イオン発生素子３０を送風ダクト２０の開口部５３に向けて押し込むと、イオン発生素子３０の送風ダクト２０側の先端がシャッター５７の斜面部５７ａに接触する。
【００９１】
さらに、イオン発生素子３０を送風ダクト２０の開口部５３に向けて押し込むと、図１９に示すようにイオン発生素子３０が斜面部５７ａに押し付けられ、付勢部材による付勢力に抗してシャッター５７が上方に移動する。そして、図２０に示すホルダー５１に対するイオン発生素子３０の挿入の最終段階において、イオン発生素子３０の壁板２７側の端部が開口部５３を閉鎖する。シャッター５７はその端部がイオン発生素子３０の外面に接触することで開口部５３を開放する位置で保持される。
【００９２】
＜第１３実施形態＞
次に、本発明の第１３実施形態のイオン送出装置について、図２１〜図２３を用いて説明する。図２１〜図２３はイオン送出装置のイオン発生素子の取り付けに係る構造を示す部分拡大側面図であって、送風ダクトに対するイオン発生素子の挿入前、挿入途中及び挿入後を示す。図中の矢印Ａが送風ダクトに対するイオン発生素子の挿入方向を示し、矢印Ｂ及びＣが後述するシャッターの移動方向を示す。なお、この実施形態の基本的な構成は先に説明した第１、第１０及び第１２実施形態と同じであるので、それら実施形態と共通する構成要素には前と同じ符号を付してその説明を省略するものとする。
【００９３】
第１３実施形態のイオン送出装置１は、図２１に示す送風ダクト２０を備える。送風ダクト２０はホルダー５１、開口部５３、シャッター５８（５８Ｕ、５８Ｌ）及びガイド部材５２を備える。
【００９４】
シャッター５８は開口部５３の開放及び閉鎖を可能にする蓋部であって、開口部５３に対応して設けられる。シャッター５８は送風ダクト２０に対するイオン発生素子３０の挿入及び抜き取りの方向（矢印Ａ）と交差する方向から見た断面が三角形状をなす。シャッター５８は１箇所の開口部５３に対して上下方向に並べて２個が配置される。２個のシャッター５８は各々、イオン発生素子３０の挿入及び抜き取りの方向（矢印Ａ）に対して傾斜する斜面部５８ａが、送風ダクト２０に対して挿入されるイオン発生素子３０と対向するよう配置される。上側のシャッター５８Ｕの斜面部５８ａは上方に向かうに連れて送風ダクト２０から離隔する方向に傾斜し、下側のシャッター５８Ｌの斜面部５８ａは下方に向かうに連れて送風ダクト２０から離隔する方向に傾斜する。
【００９５】
２個のシャッター５８は各々、上下方向に延びる不図示のガイドレールにその移動が規制される形で配置される。上側のシャッター５８Ｕは図２１に実線で示した開口部５３を閉鎖する位置とその上方の図２１に二点鎖線で示した開口部５３を開放する位置との間をガイドレールに沿って上下方向（図２２の矢印Ｂ）に移動する。下側のシャッター５８Ｌは図２１に実線で示した開口部５３を閉鎖する位置とその下方の図２１に二点鎖線で示した開口部５３を開放する位置との間をガイドレールに沿って上下方向（図２２の矢印Ｃ）に移動する。２個のシャッター５８は各々、バネなどの不図示の付勢部材により開口部５３を閉鎖する方向に付勢されている。
【００９６】
イオン発生素子３０をホルダー５１に挿入する際、使用者はイオン発生素子３０をガイド部材５２に沿わせて配置する。続けて、イオン発生素子３０を送風ダクト２０の開口部５３に向けて押し込むと、イオン発生素子３０の送風ダクト２０側の先端が２個のシャッター５８各々の斜面部５８ａに接触する。
【００９７】
さらに、イオン発生素子３０を送風ダクト２０の開口部５３に向けて押し込むと、図２２に示すようにイオン発生素子３０が斜面部５８ａに押し付けられ、付勢部材による付勢力に抗して上側のシャッター５８Ｕが上方に移動し、下側のシャッター５８Ｌが下方に移動する。そして、図２３に示すホルダー５１に対するイオン発生素子３０の挿入の最終段階において、イオン発生素子３０の壁板２７側の端部が開口部５３を閉鎖する。２個のシャッター５８はそれら端部がイオン発生素子３０の外面に接触することで開口部５３を開放する位置で保持される。
【００９８】
＜第１４実施形態＞
次に、本発明の第１４実施形態のイオン送出装置について、図２４を用いて説明する。図２４はイオン送出装置の外装カバー及び側板を外した状態を示す側面図である。なお、この実施形態の基本的な構成は先に説明した第１実施形態と同じであるので、第１実施形態と共通する構成要素には前と同じ符号を付してその説明を省略するものとする。
【００９９】
第１４実施形態のイオン送出装置１は、図２４に示すイオン発生素子３０の移動機構６０を備える。移動機構６０は回動レバー６１、支軸６２及び把持部６３を備える。
【０１００】
回動レバー６１は送風ダクト２０の内部の送風部７に対して空気流通方向下流側に配置される。回動レバー６１は送風ダクト２０の空気流通方向と略交差する方向に延びる棒状をなす。回動レバー６１にはイオン発生素子３０が取り付けられる。回動レバー６１は２個の放電電極３２ａ及び２個の集塵電極３３ａの互いの配置方向が空気流通方向と略交差する方向となる向きでイオン発生素子３０を保持する。
【０１０１】
支軸６２は送風ダクト２０の壁板２６の外側に配置され、イオン送出装置１の左右横方向に沿って延びる。支軸６２は回動レバー６１の一端を回動可能に支持する。
【０１０２】
把持部６３は回動レバー６１の支軸６２側の反対側の端部に設けられる。把持部６３は回動レバー６１が延びる方向に沿って設けられる。把持部６３は常時、イオン送出装置１の本体筐体１Ｃの上面または背面から外側に突出する。
【０１０３】
なお、回動レバー６１が送風ダクト２０の壁板２６、２７及び本体筐体１Ｃを貫通する部分には各々不図示のスリットが設けられる。これらスリットは回動レバー６１の回動範囲にわたって延びる。壁板２６、２７に設けられたスリットには回動レバー６１の変位を妨げることなくスリットの周縁部と回動レバー６１との間を塞ぐシール部材が設けられる。シール部材としては、例えばゴム等の柔軟性を有する部材やブラシ部材、蛇腹状に形成した材料などが利用される。シール部材によって送風ダクト２０の内部を流通する空気が送風ダクト２０の外部に漏洩することを抑制することが可能である。
【０１０４】
上記構成の移動機構６０により、使用者が回動レバー６１の把持部６３を持って操作すると、回動レバー６１が支軸６２の軸線を中心として垂直面内で回動し、イオン発生素子３０が送風ダクト２０の空気流通方向に沿って移動する。
【０１０５】
＜第１５実施形態＞
次に、本発明の第１５実施形態のイオン送出装置について、図２５を用いて説明する。図２５はイオン送出装置の側面図である。なお、この実施形態の基本的な構成は先に説明した第１実施形態と同じであるので、第１実施形態と共通する構成要素には前と同じ符号を付してその説明を省略するものとする。
【０１０６】
第１５実施形態のイオン送出装置１は、図２５に示すイオン発生素子３０の移動機構６０を備える。移動機構６０は回動レバー６４、支軸６５、把持部６６及びスリット６７を備える。
【０１０７】
回動レバー６４は送風ダクト２０の内部の送風部７に対して空気流通方向下流側に配置される。回動レバー６４は送風ダクト２０の空気流通方向と略交差する方向に延びる棒状をなす。回動レバー６４にはイオン発生素子３０が取り付けられ、これを保持する。回動レバー６１の一端は送風ダクト２０の壁板２６の外側に配置された支軸６５によって回動可能に支持される。
【０１０８】
把持部６６は回動レバー６４の支軸６５側の反対側の端部であって、イオン発生素子３０に近接して設けられる。把持部６６は回動レバー６４が延びる方向と交差し、イオン送出装置１の左右横方向に沿って延びる。把持部６６は常時、イオン送出装置１の本体筐体１Ｃの側面から外側に突出する。
【０１０９】
スリット６７は把持部６６が本体筐体１Ｃ側面を貫通する部分に設けられる。また、把持部６６が送風ダクト２０の不図示の側板を貫通する部分にも不図示のスリットが設けられる。これらスリットは回動レバー６４の回動範囲にわたって延びる。送風ダクト２０の側板に設けられたスリットには回動レバー６４の変位を妨げることなくスリットの周縁部と把持部６６との間を塞ぐシール部材が設けられる。
【０１１０】
上記構成の移動機構６０により、使用者が回動レバー６４の把持部６６を持って操作すると、回動レバー６４が支軸６５の軸線を中心として垂直面内で回動し、イオン発生素子３０が送風ダクト２０の空気流通方向に沿って移動する。
【０１１１】
＜第１６実施形態＞
次に、本発明の第１６実施形態のイオン送出装置について、図２６を用いて説明する。図２６はイオン送出装置の外装カバー及び側板を外した状態を示す部分拡大側面図である。なお、この実施形態の基本的な構成は先に説明した第１実施形態と同じであるので、第１実施形態と共通する構成要素には前と同じ符号を付してその説明を省略するものとする。
【０１１２】
第１６実施形態のイオン送出装置１は、図２６に示す連動部７０及び清掃部材８１を備える。連動部７０はリンクホイール７１及びリンクレバー７２を備える。
【０１１３】
リンクホイール７１はルーバーモータ４２の軸部４２ａが延びる方向と交差する方向に延びる円盤状に形成され、軸部４２ａに取り付けられる。リンクホイール７１はルーバーモータ４２の回転に伴って軸部４２ａの軸線を中心として垂直面内で回転する。リンクホイール７１の、ルーバーモータ４２の軸部４２ａ対して径方向外側に離隔した箇所にリンク軸７１ａが設けられる。
【０１１４】
リンクレバー７２はその一端がリンクホイール７１のリンク軸７１ａに回転可能に連結される。リンクレバー７２はリンクホイール７１とともに軸部４２ａの軸線を中心として垂直面内で回転するリンク軸７１ａの回転に伴って垂直面内で変位する。
【０１１５】
清掃部材８１はイオン発生素子３０のイオン発生部３２の放電電極３２ａに対応する箇所に配置される。清掃部材８０はリンクレバー７２のリンク軸７１ａ側の反対側の端部に軸部８１ａを介して回転可能に連結される。清掃部材８１はその一部が例えばブラシ状に形成され、放電電極３２ａに接触する。清掃部材８１は２個の放電電極３２ａが並べられた方向、すなわち空気流通方向と交差する方向に延びる不図示のガイドレールにその移動が規制される形で配置される。
【０１１６】
このようにして、連動部７０は往復スライダクランク機構を有する。すなわち、ルーバーモータ４２を駆動すると、リンクホイール７１がルーバーモータ４２の軸部４２ａの軸線を中心として垂直面内で回動する。リンクホイール７１の回転運動はリンクレバー７２を介して清掃部材７３に伝わり、清掃部材８１が２個の放電電極３２ａが並べられた方向に沿って往復直線運動を行って放電電極３２ａを清掃する。連動部７０はルーバーモータ４２の動作に連動して清掃部材８１によってイオン発生部３２の放電電極３２ａを清掃する。
【０１１７】
＜第１７実施形態＞
次に、本発明の第１７実施形態のイオン送出装置について、図２７を用いて説明する。図２７はイオン送出装置の清掃部を示す部分拡大側面図である。なお、この実施形態の基本的な構成は先に説明した第１及び第１６実施形態と同じであるので、これら実施形態と共通する構成要素には前と同じ符号を付してその説明を省略するものとする。
【０１１８】
第１７実施形態のイオン送出装置１は、図２７に示す清掃部材８２を備える。清掃部材８２はイオン発生素子３０のホルダー５１に対応して送風ダクト２０の壁板２７の外側に設けられる。清掃部材８２はイオン発生素子３０がホルダー５１に対して挿入される、または抜き取られるときのイオン発生部３２の放電電極３２ａに対応する箇所に配置される。清掃部材８２はその一部が例えばブラシ状に形成され、放電電極３２ａに接触する。
【０１１９】
イオン発生素子３０をホルダー５１に対して挿入する、または抜き取る際、清掃部材８２が放電電極３２ａに接触して放電電極３２ａが清掃される。
【０１２０】
上記実施形態のように、イオン送出装置１は、吸込口４及び吹出口５を開口する本体筐体１Ｃと、吸込口４と吹出口５とを連通させる送風ダクト２０と、送風ダクト２０に空気を流通させる送風部７と、送風ダクト２０を流通する空気にイオンを放出するイオン発生素子３０と、を備え、イオン発生素子３０の配置を送風ダクト２０の空気流通方向に沿って可変にしている。
【０１２１】
この構成によれば、イオン送出装置１において送風ダクト２０の任意の場所にイオン発生素子３０の配置を変更することが可能になる。
【０１２２】
また、イオン送出装置１において、送風ダクト２０が、その内部に空気流通方向に沿って複数配置されてイオン発生素子３０を保持するホルダー５１と、ホルダー５１に対してイオン発生素子３０の挿入及び抜き取りが可能な開口部５３と、開口部５３の開放及び閉鎖が可能な蓋部５４と、を備える。
【０１２３】
この構成によれば、予め設定された複数箇所のうちのいずれかを任意に選択してイオン発生素子３０の配置を変更することができる。さらに、送風ダクト２０のイオン発生素子３０を配置しない箇所の開口部５３を蓋部５４で閉鎖することができ、送風ダクト２０の空気の流通性能を好適に維持することが可能である。
【０１２４】
また、イオン送出装置１は、イオン発生素子３０を送風ダクト２０の空気流通方向に沿って連続的に移動させる移動機構６０を備える。
【０１２５】
この構成によれば、イオン発生素子３０の配置箇所の微調整を容易に行うことができる。したがって、イオン発生素子３０の配置に関して自由度が増し、より一層好適な箇所にイオン発生素子３０を配置することが可能になる。
【０１２６】
また、イオン発生素子３０は、空気中の異物を引き寄せて収集する集塵部３３と、空気中にイオンを発生させるイオン発生部３２と、を備え、集塵部３３の回路とイオン発生部３２の回路とが電気的に非接続であるとともに、集塵部３３がイオン発生部３２に対して空気流通方向の上流側に配置される。
【０１２７】
この構成によれば、イオン発生素子３０の周囲の塵埃等の異物が集塵部３３に引き寄せられる。したがって、イオン発生部３２に異物が付着することを抑制することが可能になる。さらに、集塵部３３の回路とイオン発生部３２の回路とが電気的に非接続であるので、異物の付着で集塵部３３の回路に異常が生じてもイオン発生部３２によるイオンの発生を継続することが可能である。
【０１２８】
また、イオン発生素子３０において、集塵部３３に印加される電圧がイオン発生部３２に印加される電圧よりも低い。例えば、イオン発生部３２によるイオンの発生には１〜２ｋＶ程度の電圧が必要であるが、集塵部３３で異物を引き寄せるには空気中に電界が発生する程度の電圧であって、放電しない程度の電圧であれば良いし、放電する電圧であっても良い。
【０１２９】
この構成によれば、集塵部３３で異物を収集しながら、イオン発生部３２で好適にイオンを発生させることができる。
【０１３０】
また、イオン発生素子３０において、集塵部３３がバー状をなす集塵電極３３ｂを備える。
【０１３１】
この構成によれば、集塵部３３において集塵を行う部分の長さを比較的長くすることができる。したがって、効率的に異物を収集することが可能になる。
【０１３２】
また、イオン発生素子３０において、集塵部３３が空気流通方向に沿って並べて配置される複数の集塵電極３３ｂを備える。
【０１３３】
この構成によれば、多くの異物を収集することができる。したがって、長期間にわたってイオン発生部３２で好適にイオンを発生させることができ、イオン発生素子３０の長寿命化を図ることが可能である。
【０１３４】
また、イオン発生素子３０において、複数の集塵電極３３ｂは各々個別に通電、非通電の切り替えが可能である。
【０１３５】
この構成によれば、異物を収集するに好適な位置の集塵電極３３ｂを任意に選択することができる。したがって、効率的に異物を収集することが可能になる。
【０１３６】
また、イオン発生素子３０において、集塵部３３が網状部３３ｃ、３３ｄを有する。
【０１３７】
この構成によれば、多くの異物を収集することができ、さらにイオン発生部３２への異物の付着を抑制する作用を向上させることが可能である。したがって、イオン発生部３２で好適にイオンを発生させることができる。
【０１３８】
また、イオン発生素子３０において、集塵部３３が、可撓性を有する集塵電極３３ｅと、互いに空気流通方向に対して交差する方向に離隔して回転可能に配置された集塵電極３３ｅが巻かれた供給スプール３３ｆ及び回収スプール３３ｇと、供給スプール３３ｆ及び回収スプール３３ｇを回転させて供給スプール３３ｆと回収スプール３３ｇとの間で集塵電極３３ｅを移動させるモータ３３ｈと、を備える。
【０１３９】
また、イオン発生素子３０において、集塵部３３が、可撓性を有する集塵電極３３ｊと、互いに空気流通方向に対して交差する方向に離隔して回転可能に配置された集塵電極３３ｊが巻かれた２個のプーリ３３ｋと、プーリ３３ｋを回転させて２個のプーリ３３ｋの間で集塵電極３３ｊを移動させるモータ３３ｈと、を備える。
【０１４０】
これらの構成によれば、例えば継続的に異物が付着して収集能力が低下した集塵電極３３ｅ、３３ｊの一部を一方の回転部材で回収するとともに、好適な収集能力を発揮する真新しい集塵電極３３ｅ、３３ｊの一部を他方の回転部材から空気流通空間に供給することができる。したがって、効率的に異物を収集できる状態を維持することが可能になる。
【０１４１】
また、イオン送出装置１において、蓋部５４が、イオン発生素子３０の送風ダクト２０への挿入に連動して開放され、イオン発生素子３０の送風ダクト２０からの抜き取りに連動して閉鎖されるシャッター５７、５８からなる。
【０１４２】
この構成によれば、イオン発生素子３０の送風ダクト２０に対する挿入或いは抜き取りに連動して自動的に送風ダクト２０の開口部３２を開放或いは閉鎖することができる。したがって、送風ダクト２０に対するイオン発生素子３０の着脱を容易にすることが可能になる。
【０１４３】
また、イオン送出装置１において、送風ダクト２０がイオン発生素子３０の配置とともにイオン発生素子３０が電気的に接続されるコネクタ部５６を備える。
【０１４４】
この構成によれば、イオン発生素子３０の送風ダクト２０への配置とともに自動的にイオン発生素子３０に対して通電させることができる。したがって、送風ダクト２０に対するイオン発生素子３０の着脱をより一層容易にすることが可能になる。
【０１４５】
また、イオン送出装置１は、イオン発生素子３０のイオン発生部３２を清掃するための清掃部材８１、８２を備える。
【０１４６】
この構成によれば、イオン発生部３２に付着した異物を除去することができる。したがって、イオン発生部３２で好適にイオンを発生させることが可能になる。
【０１４７】
また、イオン送出装置１は、吹出口５における空気の送出方向を変更するための可動ルーバー２５と、可動ルーバー２５を回動させるためのルーバーモータ４２と、ルーバーモータ４２の動作に連動して清掃部材８１によってイオン発生部３２を清掃するための連動部７０と、を備えることを特徴としている。
【０１４８】
この構成によれば、可動ルーバー２５を回動させることによって自動的にイオン発生部３２を清掃することができる。したがって、イオン発生部３２に付着した異物の除去をより一層容易にすることが可能になる。
【０１４９】
このようにして、本発明の上記実施形態の構成によれば、イオン発生部３２の放電電極に異物が付着することを抑制することが可能なイオン発生素子３０を提供することができる。さらに、イオン発生素子３０の配置を変更することが可能なイオン送出装置１を提供することができる。
【０１５０】
以上、本発明の実施形態につき説明したが、本発明の範囲はこれに限定されるものではなく、発明の主旨を逸脱しない範囲で種々の変更を加えて実施することができる。
【０１５１】
例えば、上記実施形態では、イオン発生部３２において針状をなす放電電極３２ａを２個設けることとしたが、放電電極３２ａの数量は２個に限定されるわけでなく、他の数量であっても良い。
【産業上の利用可能性】
【０１５２】
本発明はイオンを発生させるイオン発生素子、及びイオンを例えば室内などに送出するイオン送出装置において利用可能である。
【符号の説明】
【０１５３】
１    イオン送出装置
１Ｃ    本体筐体
４    吸込口
５    吹出口
７    送風部
２０    送風ダクト（ダクト）
２５    可動ルーバー
２６、２７    壁板
３０    イオン発生装置
３１    昇圧部
３２    イオン発生部
３２ａ    放電電極
３３    集塵部
３３ａ、３３ｂ、３３ｅ、３３ｊ、３３ｎ    集塵電極
３３ｃ、３３ｄ    網状部
３３ｆ    供給スプール（回転部材）
３３ｇ    回収スプール（回転部材）
３３ｈ    モータ（駆動部）
３３ｋ    プーリ（回転部材）
３３ｍ    清掃ブラシ
３３ｐ    溝部
３４    遮蔽リブ
３５    端子部
４２    ルーバーモータ
５１    ホルダー
５２    ガイド部材
５３    開口部
５４    蓋部
５５    ケーブル
５６    コネクタ部
５７、５８    シャッター（蓋部）
６０    移動機構
６１、６４    回動レバー
６２、６５    支軸
６３、６６    把持部
６７    スリット
７０    連動部
７１    リンクホイール
７２    リンクレバー
８１、８２    清掃部材
【図１】
2016085790.tif 000003
【図２】
2016085790.tif 000004
【図３】
2016085790.tif 000005
【図４】
2016085790.tif 000006
【図５】
2016085790.tif 000007
【図６】
2016085790.tif 000008
【図７】
2016085790.tif 000009
【図８】
2016085790.tif 000010
【図９】
2016085790.tif 000011
【図１０】
2016085790.tif 000012
【図１１】
2016085790.tif 000013
【図１２】
2016085790.tif 000014
【図１３】
2016085790.tif 000015
【図１４】
2016085790.tif 000016
【図１５】
2016085790.tif 000017
【図１６】
2016085790.tif 000018
【図１７】
2016085790.tif 000019
【図１８】
2016085790.tif 000020
【図１９】
2016085790.tif 000021
【図２０】
2016085790.tif 000022
【図２１】
2016085790.tif 000023
【図２２】
2016085790.tif 000024
【図２３】
2016085790.tif 000025
【図２４】
2016085790.tif 000026
【図２５】
2016085790.tif 000027
【図２６】
2016085790.tif 000028
【図２７】
2016085790.tif 000029